(57)【要約】【課題】  細胞の増殖、分化能力を損なうことなく、効率的に骨髄細胞を培養する方法の提供。【解決手段】  ０．１〜５０μｇ／ｍＬのゲンタマイシン、または０．１〜１００μｇ／ｍＬのカナマイシンの存在下、骨髄細胞を培養液中で培養することを特徴とする骨髄細胞の培養方法。また、上記培養方法により得られた骨髄細胞を回収することを特徴とする骨髄細胞の生産方法。【選択図】  なし【特許請求の範囲】
【請求項１】
０．１〜５０μｇ／ｍＬのゲンタマイシン、または０．１〜１００μｇ／ｍＬのカナマイシンの存在下、骨髄細胞を培養液中で培養することを特徴とする骨髄細胞の培養方法。
【請求項２】
５〜５０μｇ／ｍＬのゲンタマイシン、または５〜１００μｇ／ｍＬのカナマイシンの存在下、骨髄細胞を培養液中で培養することを特徴とする請求項１記載の骨髄細胞の培養方法。
【請求項３】
骨髄細胞が間葉系幹細胞である、請求項１または２記載の培養方法。
【請求項４】
該骨髄細胞が、骨または軟骨組織に分化しうるものである、請求項１または２記載の培養方法。
【請求項５】
骨髄細胞が、骨髄液から分離、回収されたものである、請求項１または２記載の培養方法。
【請求項６】
請求項１〜５のいずれかに記載の培養方法により得られた骨髄細胞を回収することを特徴とする骨髄細胞の生産方法。
【発明の詳細な説明】
【技術分野】
【０００１】
本発明は、骨髄細胞及び骨髄由来細胞の培養過程において、増殖、分化に影響のない抗生物質の添加に係わる技術分野に属するものである。
【背景技術】
【０００２】
骨髄液中には骨、軟骨、筋肉、脂肪など多様な細胞に分化しうる性質を持った間葉系細胞（略称：ＭＳＣ）が存在することが明らかになってきている（例えば特許文献１、非特許文献１、非特許文献２、非特許文献３参照）。ＭＳＣは、このように多種多様な細胞、臓器に分化しうる能力（これをｐｌｕｒｉｏｐｏｔｅｎｔｉａｌ  ｐｒｏｐｅｒｔｉｅｓと呼ぶ）を有しているので、この細胞を増殖、分化に影響のない形で、かつ微生物の汚染なく増幅させる方法は、再生医療発展の見地から極めて重要である。
このような細胞を培養する過程においては、抗生物質を用いる方法が一般的であり、実験レベルにおいては特に頻繁に用いられている。例えば、市販の３種混合抗生剤（抗生物質−抗真菌剤（×１００）１５２４０−０６２、インビトロジェン社製）が良く使用されている。
また、抗菌スペクトルが広いと言われているゲンタマイシンをオステオブラスト様細胞に１００μｇ／ｍｌで添加し、骨分化した場合、アルカリフォスファターゼ活性（ＡＬＰ活性）が低下するという報告がある（非特許文献４参照）。
【０００３】
【特許文献１】国際公開第０１／８３７０９号パンフレット
【非特許文献１】Ｐｌｉａｒｄ，Ａら、Ｃｏｎｖｅｒｓｉｏｎ  ｏｆ  ａｎ  Ｉｍｍｏｒｔｉｌｉｚｅｄ  Ｍｅｓｏｄｅｒｍａｌ  Ｐｒｏｇｅｎｉｔｏｒ  Ｃｅｌｌ  Ｔｏｗａｒｄｓ  Ｏｓｔｅｏｇｅｎｉｃ、Ｃｈｏｎｄｒｏｇｅｎｉｃ、ｏｒ  Ａｄｉｐｏｇｅｎｉｃ  Ｐａｔｈｗａｙｓ、Ｊ  Ｃｅｌｌ  Ｂｉｏｌ  １３０（６）：１４６１−７２（１９９５）
【非特許文献２】Ｍａｃｋａｙら，Ａ．Ｍら、Ｃｈｏｎｄｒｏｇｅｎｉｃ  Ｄｉｆｆｅｒｅｎｔｉａｔｉｏｎ  ｏｆ  Ｃｕｌｔｕｒｅｄ  Ｈｕｍａｎ  Ｍｅｓｅｎｃｈｙｍａｌ  Ｓｔｅｍ  Ｃｅｌｌｓ  Ｆｒｏｍ  Ｍａｒｒｏｗ、Ｔｉｓｓｕｅ  Ｅｎｇｉｎｅｅｒｉｎｇ４（４）：４１５−４２８（１９９８）
【非特許文献３】Ａｎｇｅｌｅ，Ｐら、Ｅｎｇｉｎｅｅｒｉｎｇ  ｏｆ  Ｏｓｔｅｏｃｈｏｎｄｏｒａｌ  Ｔｉｓｓｕｅ  Ｗｉｔｈ  Ｂｏｎｅ  Ｍａｒｒｏｗ  Ｍｅｓｅｎｃｈｙｍａｌ  Ｐｒｏｇｅｎｉｔｏｒ  Ｃｅｌｌｓ  ｉｎ  ａ  Ｄｅｒｉｖａｔｉｚｅｄ  Ｈｙａｌｕｒｏｎａｎ−Ｇｅｒａｔｉｎ  Ｃｏｍｐｏｓｉｔｅ  Ｓｐｏｎｇｅ、Ｔｉｓｓｕｅ  Ｅｎｇｉｎｅｅｒｉｎｇ５（６）：５４５−５５３（１９９９）
【非特許文献４】Ｊ．ＯＲＴＯＰ  ＴＲＡＵＭＡ  １７（３）：２１２−２１６  ＭＡＲ（２００３）
【発明の開示】
【発明が解決しようとする課題】
【０００４】
上述したように３種混合抗生剤などを指定濃度で用いたり、それ以外の抗生剤でも添加量が的確でなかった場合には、骨髄細胞の増殖、分化が抑えられ、本来細胞の持っている能力が十分に発揮できないことが懸念される。実際、本発明者らは、骨髄細胞の培養に上記３種混合抗生剤を規定量添加すると、ＤＮＡ含量が低下し、分化が抑制されることを見出した（後述の実施例２の比較データ参照）。
このようなことから考えると、抗生物質を添加しない培養が理想であるが、培養期間中、細菌や真菌による汚染を完全に防止できるとは限らず、このリスクを排除するためには、抗生剤を添加する必要がある。そこで、抗生剤を添加する場合には、抗菌スペクトルが広く、アナフィラキシーショックを起こさないものを選択し、かつ増殖、分化に影響のない濃度を設定することが望ましい。
しかし、このような視点から骨髄細胞培養に使用する抗生剤を選択し、濃度設定したものについては、これまで報告がなかった。
本発明の目的は、細胞の増殖、分化能力を損なうことなく、効率的に骨髄細胞を培養する方法を提供することである。
【課題を解決するための手段】
【０００５】
上記課題を解決すべく本発明者らが鋭意検討を進めた結果、抗生物質の中で抗菌スペクトルが広いゲンタマイシン、カナマイシンを用い、かつ、これらを特定の濃度で用いることにより、骨髄細胞の増殖、分化に対して影響のない骨髄細胞の培養方法を見いだし、本発明を完成するに至った。
ここで、抗菌スペクトルが広いとは、グラム陰性菌から陽性菌までの広範囲の菌に対して抗菌性を有するという意味である。
【０００６】
すなわち、本発明は、０．１〜５０μｇ／ｍＬのゲンタマイシン、または０．１〜１００μｇ／ｍＬのカナマイシンの存在下、骨髄細胞を培養液中で培養することを特徴とする骨髄細胞の培養方法に関する。また、本発明は、５〜５０μｇ／ｍＬのゲンタマイシン、または５〜１００μｇ／ｍＬのカナマイシンの存在下、骨髄細胞を培養液中で培養することを特徴とする上記培養方法に関する。
また、本発明は、骨髄細胞が間葉系幹細胞である上記培養方法；骨髄細胞が骨または軟骨組織に分化しうるものである上記培養方法；骨髄細胞が、骨髄液から分離、回収されたものである上記培養方法に関する。
さらに、本発明は、上記培養方法により得られた骨髄細胞を回収することを特徴とする骨髄細胞の生産方法に関する。
【０００７】
骨髄細胞としては、間葉系細胞などを含む細胞集団が挙げられる。該細胞集団は、間葉系幹細胞、接着性細胞及び血球細胞などを含む。本明細書においては、骨髄細胞は、骨髄由来細胞、すなわち、骨、軟骨、筋肉、肝臓、皮膚に分化したまたは分化しつつある細胞も含む。骨髄細胞は、好ましくは、間葉系幹細胞であるか、骨または軟骨組織に分化しうるものである。
【０００８】
また、骨髄細胞は、骨髄液から分離、回収して得ることができる。骨髄液から骨髄細胞を分離、回収して得る方法としては、例えば、骨髄液を遠心分離し、上清を除去し、下層を回収する方法や；フィコールなどの遠心分離助剤を添加して遠心分離し、中間層の画分を回収する方法などが挙げられる。
【０００９】
本発明において用いるゲンタマイシン、カナマイシンは、いずれもアミノグリコシド系の抗生物質であり、グラム陰性菌から陽性菌まで広い範囲で抗菌スペクトルを有するものである。
【００１０】
本発明の骨髄細胞の培養方法においては、ゲンタマイシンを０．１〜５０μｇ／ｍＬ、または、カナマイシンを０．１〜１００μｇ／ｍＬ存在させることが必要である。
ゲンタマイシン、カナマイシンの添加濃度は、細胞の種類によって変化しうるが、抗菌活性や細胞への毒性の観点から、ゲンタマイシンの濃度は、下限は好ましくは５μｇ／ｍＬ、より好ましくは１０μｇ／ｍＬ、上限は好ましくは４０μｇ／ｍＬ、より好ましくは３０μｇ／ｍＬであり；カナマイシンの濃度は、下限は好ましくは５μｇ／ｍＬ、より好ましくは１０μｇ／ｍＬ、さらに好ましくは５０μｇ／ｍＬ、上限は好ましくは９０μｇ／ｍＬ、より好ましくは８０μｇ／ｍＬである。
ゲンタマイシンの濃度は、好ましくは５〜５０μｇ／ｍＬ、より好ましくは１０〜３０μｇ／ｍＬであり、カナマイシンの濃度は、好ましくは５〜１００μｇ／ｍＬ、より好ましくは５０〜１００μｇ／ｍＬである。
【００１１】
培養液中には、必要に応じて、ビタミン、分化誘導剤などを含有させることができる。
培地としては、例えば、ＭＥＭ培地、ＤＭＥＭ培地などを用いることができる。
培養温度は特に限定されないが、好ましくは２５〜４０℃、より好ましくは３６〜３８℃である。
培養時間は特に限定されないが、抗生剤を添加した培地では、好ましくは２〜１４日間、より好ましくは２〜７日間、さらに好ましくは２〜４日間、特に好ましくは２〜３日間である。培地交換した後も同様である。
【００１２】
本発明の骨髄細胞の生産方法は、上記培養方法により得られた骨髄細胞を回収することを特徴とするものである。当該骨髄細胞を回収する方法としては、例えば、上記培養方法により得られた培養物を、トリプシンやｒ（リコンビナント）−プロテアーゼなどの細胞剥離剤を用いて一定時間処理し、血清などで中和して、骨髄細胞を回収する方法などが挙げられる。
【００１３】
本発明の、特定の抗生剤を特定の濃度存在させて骨髄細胞を培養する方法は、細胞の増殖、分化に影響を与えないことから、雑菌の汚染なく、目的の細胞数を効率的に確保することができる。また、当該方法により得られた骨髄細胞は、本来細胞が持っている能力を損なうことなく、患部に移植することが可能である。
【発明の効果】
【００１４】
本発明によれば、例えば患者から採取した骨髄細胞を培養する場合などにおいて、細胞の増殖及び種々組織への分化に影響を与えることなく、雑菌汚染を防いで、骨髄細胞を培養することができ、目的とする細胞を、リスクを少なく、効率的に確保することができる。
【発明を実施するための最良の形態】
【００１５】
以下に実施例により本発明を詳細に説明するが、本発明はこれらの実施例に限定されるものではない。
【００１６】
（実施例１）カナマイシンまたはゲンタマイシンをヒト由来骨髄細胞培養系に添加した場合において増殖に与える影響
患者から骨髄液を３ｍｌ採取し、この骨髄液に、ヘパリン濃度が１０Ｕ／ｍｌとなるようにヘパリンを添加した。骨髄液１．５ｍｌ分をＴ７５フラスコ（ファルコン製）に播種し、ＭＥＭα培地（インビトロジェン社製）＋１５％ウシ胎児血清培地にて、１４日間培養した。この間、培地交換は週２回実施した。その後、細胞をトリプシン処理し、回収後、当該細胞を新しいＴ７５フラスコに細胞数１×１０５個播種した。これに、カナマイシンまたはゲンタマイシンを種々濃度で添加し、７日間培養した。対照として、上記抗生剤を添加しないものを用いた。培地交換は週２回（火曜、木曜）行った。７日間経過後、細胞をトリプシン処理して剥がし、その細胞数をヌクレオカウンター（ケモスタティクス社）で測定した。なお、各濃度につき２フラスコずつ測定し、その平均値を算出した。カナマイシンを用いた場合の結果を図１に、ゲンタマイシンを用いた場合の結果を図２に示す。
その結果、カナマイシンでは５００μｇ／ｍｌの添加濃度までは、細胞の増殖に影響がなかった。ゲンタマイシンでは１００μｇ／ｍｌまでは、細胞の増殖に影響がなかった。従って、上記濃度までは毒性がないと判断された。
【００１７】
（実施例２）カナマイシン及びゲンタマイシンを骨誘導培養系に添加した場合において分化に与える影響
実施例１にて増殖させた細胞を骨分化誘導系に供した。
当該細胞をＭＥＭα培地＋１５％ウシ胎児血清培地に懸濁し、１２穴培養プレートに２×１０４個／Ｗｅｌｌになるように細胞を播種（各Ｗｅｌｌに２ｍｌ細胞懸濁液を添加）した。播種後、カナマイシンまたはゲンタマイシンを、それぞれのＷｅｌｌに種々濃度になるように添加した。また、比較のために、後述の３種混合抗生剤を規定量添加したもの、及び、抗生剤を添加しないものも用いた。２４時間経過後に、骨への分化誘導を促す３種類の添加物（β−グリセロリン酸：ＣＡＬＢＩＯＣＨＥＭ  ３５６７５、アスコルビン酸リン酸エステル：ＷＡＫＯ  ０１３−１２０６１、デキサメサゾン：ＳＩＧＭＡ  Ｄ８８９３）をそれぞれ１０ｍＭ、５０μｇ／ｍＬ、１００ｎＭになるように添加し、これを骨分化誘導群とした。また、β−グリセロリン酸のみを添加したものを非誘導群とした。これらを５％ＣＯ２、３７℃のインキュベーター中で２週間培養した。２週間後、細胞を破砕し、骨への誘導指標である細胞内のＡＬＰ活性（アルカリフォスファターゼ活性）を測定した。この値が大きいほど、骨分化誘導が進んでいることを示す。その結果を図３に示す。
【００１８】
なお、図３において、「Ｋ１０、Ｋ１００、Ｋ５００」はそれぞれ、カナマイシン１０μｇ／ｍｌ、カナマイシン１００μｇ／ｍｌ、カナマイシン５００μｇ／ｍｌを示し、「Ｇ５、Ｇ５０、Ｇ１００」はそれぞれ、ゲンタマイシン５μｇ／ｍｌ、ゲンタマイシン５０μｇ／ｍｌ、ゲンタマイシン１００μｇ／ｍｌを示す。「ＡＢ」は３種混合抗生剤（抗生物質−抗真菌剤（×１００）１５２４０−０６２、インビトロジェン社製）規定量（ペニシリン１００ユニット／ｍｌ、ストレプトマイシン１００μｇ／ｍｌ、アンフォテリシンＢ０．２５μｇ／ｍｌ）を示す。「Ｃｏｎｔ」は抗生剤を添加せずに分化誘導したものを示し、「Ｃｏｎｔ（−）」は抗生剤を添加せず、かつ分化誘導しなかったものを示す。
その結果、カナマイシンでは１００μｇ／ｍｌまでは骨誘導活性に影響がなかった。ゲンタマイシンでは５０μｇ／ｍｌまでは骨誘導活性に影響がなかった。また、３種混合抗生剤（抗生物質−抗真菌剤（×１００）１５２４０−０６２、インビトロジェン社製）は、上記規定量を添加すると、骨誘導を大きく阻害した（抗生剤無添加の約１／３の値）。
【００１９】
（実施例３）カナマイシン及びゲンタマイシンを軟骨誘導培養系に添加した場合において分化に与える影響
実施例１にて増殖させた細胞を軟骨誘導系に供した。
培養した細胞を回収し、再度ＤＭＥＭ−ハイグルコース培地（インビトロジェン社製）に、軟骨分化誘導を促す下記の添加物を加えた培地で、間葉系細胞濃度が４×１０５個／ｍｌになるように懸濁した。この細胞懸濁液を０．５ｍＬ取り、１５ｍＬファルコンチューブに入れた。その後、遠心分離操作（１０００ｒｐｍ、１０ｍｉｎ、４℃）を行ったところ、細胞がペレット状になったが、そのままチューブの蓋を緩めて、５％ＣＯ２、３７℃のインキュベーター中で３週間培養した。分化誘導を開始した時点で、抗生剤としてカナマイシンを１００μｇ／ｍｌ、ゲンタマイシンを５０μｇ／ｍｌ添加し、実験を行った。比較用サンプルとしては、各抗生剤を添加しないものを用いた。なお、この間に培地は週２回（火曜、金曜）全量（０．５ｍＬ）交換した。培養終了後は、球形となった細胞塊を回収し、組織固定用ホルマリンで固定し、軟骨基質染色剤であるトルイジンブルー染色を行った。その結果を図４に示す。紫色はメタクロマジーが起こっていることを示し、また、メタクロマジーは軟骨に分化すると起こる異染色である。
組織切片を顕微鏡観察した結果、軟骨基質が紫色に染まる異染色性（メタクロマジー）が、抗生剤添加及び無添加で同程度観察され、上記抗生剤は、この濃度において軟骨組織形成に影響を与えないことが確認された。
【００２０】
＜軟骨分化誘導の際に用いた添加物＞
以下において、培地とは、上記に示したＤＭＥＭ−ハイグルコース培地を指す。
ＴＧＦβ３ヒトリコンビナント：フナコシ  ＲＳ−００３２−４３
培地に最終濃度１０ｎｇ／ｍＬで添加
デキサメサゾン：ＳＩＧＭＡ  Ｄ８８９３
培地に最終濃度１００ｎＭで添加
アスコルビン酸リン酸エステル：ＷＡＫＯ  ０１３−１２０６１
培地に最終濃度５０μｇ／ｍＬで添加
ピルビン酸ナトリウム：コスモバイオ  ２５−０００−Ｃ１
培地に最終濃度１００μｇ／ｍＬで添加
Ｌ−プロリン：コスモバイオ  ３３５８２
培地に最終濃度４０μｇ／ｍＬで添加
ＩＴＳ−プラス：コスモバイオ  ３５４３５２
培地に市販原液を１／１００量添加
【産業上の利用可能性】
【００２１】
本発明によれば、特定の抗生物質（カナマイシン、ゲンタマイシン）を選択し、かつ、これらを特定濃度用いて骨髄細胞を培養することにより、例えばヒト由来の骨髄細胞を培養する過程などにおいて、雑菌の汚染を防ぎ、細胞の増殖、分化に影響を与えずに（細胞への悪影響がなく）、骨髄細胞を培養することができる。そのため、骨髄から取りだして培養した細胞を再びヒトの体内などに戻す場合、細胞が本来有している能力を損なうことなく移植でき、治療効果の向上につながるものである。
【図面の簡単な説明】
【００２２】
【図１】カナマイシンをヒト由来骨髄細胞培養系に添加した場合において増殖に与える影響を示した図である。
【図２】ゲンタマイシンをヒト由来骨髄細胞培養系に添加した場合において増殖に与える影響を示した図である。
【図３】カナマイシン及びゲンタマイシンを骨誘導培養系に添加した場合において分化に与える影響を示した図である。
【図４】カナマイシン及びゲンタマイシンを軟骨誘導培養系に添加した場合において分化に与える影響を示した図である。
【図１】
2006055066.tif 000002
【図２】
2006055066.tif 000003
【図３】
2006055066.tif 000004
【図４】
2006055066.tif 000005